(57)【要約】【課題】安全に楽しみながら海中生物を観察できるようにした浮体設備を提供する。【解決手段】浮桟橋１の沖側先端に設けたデッキ部３の外周に、床に覗き窓５を備えた通路部４を設け、覗き窓５から通路部４の下部に設けた棚９に付着した珊瑚１０や魚貝類等の海中生物を観察できるようにする。【選択図】図１
2005145320.tif 000002
【特許請求の範囲】
【請求項１】
浮体に、床に覗き窓を備えた通路部を設け、前記覗き窓から通路部の下部に設けた棚に付着した水中生物を観察できるように構成したことを特徴とする浮体設備。
【請求項２】
浮体は浮桟橋である請求項１記載の浮体設備。
【請求項３】
覗き窓の下面は水に接触し得るように構成した請求項１又は２記載の浮体設備。
【請求項４】
覗き窓は、上面側が透明な強化板で形成され、下面が透明な板で構成されている請求項１、２又は３記載の浮体設備。
【請求項５】
通路部は、浮体の外周に設けられた回廊である請求項１、２、３又は４記載の浮体設備。
【請求項６】
水面下に没水し得るようにした親水床部を備えた請求項１、２、３、４又は５記載の浮体設備。
【請求項７】
通路部及び親水床部には防水壁を設けた請求項１、２、３、４、５又は６記載の浮体設備。
【請求項８】
水中生物は海中の珊瑚である請求項１、２、３、４、５、６又は７記載の浮体設備。
【発明の詳細な説明】
【技術分野】
【０００１】
本発明は、養殖珊瑚等の海中生物を安全に且つ楽しみながら観察できるようにした浮体設備に関するものである。
【背景技術】
【０００２】
海中に潜らずに珊瑚等の海中生物を観察するためには、従来は、船から箱眼鏡を用いて観察したり、船の底部に設置した透明なガラス板のある覗き窓をとおして観察することが行われている。
【０００３】
又、水中生物を観察するための先行文献としては、例えば、特許文献１がある。特許文献１では、海岸の潮間帯を挟んだ陸側及び浅海域の有光層までを含んだ範囲を観察の中心とし、海側と浜側の単位面積あたりの陸上生物、潮間帯生物、水中生物及び地形、地質、漂着ゴミ等を調査するようにしている。
【特許文献１】特開２００３−１４３９６２号公報
【発明の開示】
【発明が解決しようとする課題】
【０００４】
従来は海中生物を観察するためには、船に乗って現場まで出掛ける必要があり、従って、観察が煩雑であり、又、箱眼鏡を使用する場合には、慣れないと観察自体が危険である。そこで、近年、浮き桟橋で珊瑚等の海中生物を観察できるようにしたいという要望が出てきている。しかし、現在はそのような設備は見当たらない。又、特許文献１は調査のための沿岸域環境モニタリング方法であり、観光客が楽しみながら海中生物を観察するためのものではない。
【０００５】
本発明は、斯かる実情に鑑み、安全に楽しみながら海中生物を観察できるようにした浮体設備を提供することを目的としてなしたものである。
【課題を解決するための手段】
【０００６】
請求項１の浮体設備は、浮体に、床に覗き窓を備えた通路部を設け、前記覗き窓から通路部の下部に設けた棚に付着した水中生物を観察できるように構成したものである。
【０００７】
請求項２の浮体設備においては、浮体は浮桟橋であり、請求項３の浮体設備においては、覗き窓の下面は水に接触し得るように構成されており、請求項４の浮体設備においては、覗き窓は、上面側が透明な強化板で形成され、下面側が透明な板で構成されており、請求項５の浮体設備においては、通路部は、浮体の外周に設けられた回廊であり、請求項６の浮体設備は、水面下に没水し得るようにした親水床部を備えており、請求項７の浮体設備においては、通路部及び親水床部には、防水壁が設けられており、請求項８の浮体設備においては、水中生物は海中の珊瑚である。
【発明の効果】
【０００８】
本発明の請求項１〜８記載の浮体設備によれば、珊瑚や魚貝類等の水中生物の観察を良好に行うことができると共に棚に付着させた珊瑚や海草等を目当てに魚がおびき寄せられて観察者を楽しませることができ、又、通路部や親水通路部の周囲には、防水壁が設けてあるため、観察者は水を被る虞も水中に転落する虞もなく、安全に楽しく水中生物の観察を行うことができ、更に、水中生物が珊瑚の場合には、珊瑚の成育状態、増殖状態をも観察することができ、育った珊瑚は放流して珊瑚礁保全の一環として利用することもでき、更に又、岸部から遠くまで出掛ける必要がないので、簡単に水中生物の観察を楽しむことができる、という優れた効果を奏し得る。
【発明を実施するための最良の形態】
【０００９】
以下、本発明の実施の形態を図示例と共に説明する。
図１〜図６は本発明を実施する形態の一例であり、浮桟橋に適用した例である。
図中、１は浮桟橋で、浮桟橋１は、海底から立設させた支柱２に沿って海水の干満時に浮力により昇降し得るようになっている。浮桟橋１の沖側先端には、浮桟橋１の床１ａと同一の床面となるノンスリップの床３ａを備えたデッキ部３が浮桟橋１の一部として設けられている。
【００１０】
デッキ部３は平面視で沖側先端が半円状に形成されていると共に、その外周には海中生物観察用の通路部４が回廊状に設けられている。通路部４の床４ａはデッキ部３の床３ａよりも低い位置にあり、床面には覗き窓５が設けられている。覗き窓５は表面側が観察者の履物による傷が付かないよう、透明な強化ガラス５ａであり、その下に透明なアクリル板５ｂを貼着した構造となっており、図６に示すように、重合せて固定部材５ｃにより固定されている。又、強化ガラス５ａは滑り止めを施したノンスリップガラスとすると一層良い。更に覗き窓５の下面は常時海水に接触するようになっている。
【００１１】
通路部４の沖側先端には、回廊状の親水通路部７が形成されている。親水通路部７は海面６下の略３０ｃｍの位置に没水するよう形成されており（図５参照）、床７ａは例えば格子状のグレーチングとなっている。而して、親水通路部７においては、観察者は親水通路部７の上まである海水に足を浸して遊べるようになっている。
【００１２】
通路部４及び親水通路部７の外周には、透明なアクリル板による防波壁８が設けられており、船舶の航跡波や波しぶきから通路部４を保護したり、観察者の衣服が濡れることを防止し得るようになっている。
【００１３】
通路部４及び親水通路部７の下方外周には、海面６下約１．６ｍ（浮桟橋の底面の深さ）の位置に棚９が設けられており、棚９には、養殖の珊瑚１０が付着されている。棚９は覗き窓５から観察し易い位置に設置され、鋼製又はコンクリート製若しくは擬岩によるものが使用される。
【００１４】
なお、図中、１１は床３ａと通路部４との間を昇降する階段、１２は通路部４と親水通路部７とを昇降する階段である。
【００１５】
次に、上記図示例の作動を説明する。
珊瑚１０や魚貝類を観察する人は、デッキ部３の床３ａから階段１１を利用して通路部４に降り、覗き窓５を通して海中の棚９上に付着している珊瑚１０や魚貝類を観察する。又、親水通路部７を降りる場合には、階段１２により通路部４から親水通路部７へ降りる。親水通路部７では、足を海水に浸して遊ぶことができる。
【００１６】
覗き窓５の下面は常時海水に接触しているため、箱眼鏡を用いて観察したり、船の底部に設けた覗き窓から観察する場合と同様、珊瑚１０や魚貝類の観察を良好に行うことができると共に棚９に付着させた珊瑚１０や海草等を目当てに魚がおびき寄せられて観察者を楽しませることができる。又、通路部４や親水通路部７の周囲には、防波壁８が設けてあるため、観察者は波を被る虞も海に転落する虞もなく、安全に楽しく海中の観察を行うことができる。更に、珊瑚１０の成育状態、増殖状態をも観察することができ、育った珊瑚１０は放流して珊瑚礁保全の一環として利用することもできる。更に又、沖合いまで出掛ける必要がないので、簡単に海中生物の観察を楽しむことができる。
【００１７】
覗き窓５の下面に藻や貝類が付着した場合には、清掃を行う必要がある。一般に、船の底面に覗き窓が設けられている場合には、ダイバーが海中に潜って清掃を行わなければならない。しかし、本図示例では、図４に示すように作業者が９０度で曲折する長柄１３に取付けられたスポンジ製のモップ１４を用いることにより、通路部４上から覗き窓５の下面を清掃することができる。従って、メンテナンスも容易に行うことができる。
【００１８】
なお、本発明の浮体設備は、海中生物の観察に適用する場合について説明したが、海中に限らず、河川や湖沼においても適用することが可能なこと、浮桟橋を利用する場合について説明したが、独立した浮体としても実施できること、その他、本発明の要旨を逸脱しない範囲内において種々変更を加え得ることは勿論である。
【図面の簡単な説明】
【００１９】
【図１】本発明の浮体設備の実施の形態の一例を示す斜視図である。
【図２】本発明の浮体設備の実施の形態の一例を示す平面図である。
【図３】図２のＩＩＩ−ＩＩＩ方向矢視図である。
【図４】図２のＩＶ−ＩＶ方向矢視図である。
【図５】図２のＶ−Ｖ方向矢視図である。
【図６】覗き窓を形成する強化ガラス及びアクリル板の部分の部分拡大斜視図である。
【符号の説明】
【００２０】
１  浮桟橋
３  デッキ部（浮体）
４  通路部
４ａ  床
５ａ  強化ガラス（強化板）
５ｂ  アクリル板（板）
５  覗き窓
７  親水通路部（親水床部）
８  防波壁（防水壁）
９  棚
１０  珊瑚（水中生物）
【図１】
2005145320.tif 000003
【図２】
2005145320.tif 000004
【図３】
2005145320.tif 000005
【図４】
2005145320.tif 000006
【図５】
2005145320.tif 000007
【図６】
2005145320.tif 000008